(57)【要約】【課題】インターネットを介して、音楽ＣＤと互換性のあるメディアを販売すると共に、販売メディアから購入者を特定する方法を提供する。【解決手段】音楽ソフト供給者は、購入者へインターネットを介して音楽ＣＤ作成の為の専用プログラムを配布する。購入者は、このプログラムを起動して音楽ソフト供給者のサーバシステムより購入した音楽ＣＤを作成する為の音楽データを取得し、ＣＤ−Ｒ／ＲＷ等のメディアへ書き込んで音楽ＣＤと互換性のあるメディアを作成する。配付された音楽データには電子指紋データが組み込まれており、専用プログラムにより組み込まれている電子指紋データを読み取ることができる。読み取った電子指紋データを音楽ソフト供給者の管理する購入者情報と照合することにより、メディアの購入者を特定する。【選択図】図１
2009199567.tif 000002
【特許請求の範囲】
【請求項１】
インターネットを通じて音楽ソフトを配布し、購入者の手元でＣＤ−Ｒ又はＣＤ−ＲＷメディアへ書き込んで音楽ＣＤと互換性のあるメディアを作成することを特徴とする方法。
【請求項２】
請求項１に記載の方法において、著作権の許諾管理されたライセンス情報を電子指紋データとして音楽ソフトに組み込むことを特徴とする方法。
【請求項３】
請求項１に記載の方法において、購入者が音楽メディアの作成に成功したことを音楽ソフト供給者へ通知し、この情報を音楽ソフト供給者が管理することを特徴とする方法。
【請求項４】
請求項１に記載の方法において、配布データから音楽メディアへ書き込む時に、音楽ソフト供給者へライセンス情報の照会・検証を実施し、購入者へ許された数量を超えた音楽メディアの作成を禁止することを特徴とする方法。
【請求項５】
請求項１に記載の方法において、音楽メディアを作成するプログラムを配付することを特徴とする方法。
【請求項６】
請求項１に記載の方法において、配布されるデータは最終的にハードウエアメディアへ書き込まれた形態にならないと使用できないことを特徴とする方法。
【請求項７】
請求項１に記載の方法において、音楽メディアを配布する為のソフトウエアシステム。
【請求項８】
請求項２に記載の方法において、販売する音楽ソフトにライセンス情報を電子指紋データとして組み込む為のソフトウエアシステム。
【請求項９】
請求項２に記載の方法において、購入者の情報と組み込まれたライセンス情報を管理する為のソフトウエアシステム。
【発明の詳細な説明】
【技術分野】
【０００１】本発明は、音楽ＣＤに於ける著作権管理を実装するシステム及び方法に関する。
【背景技術】
【０００２】従来の音楽ＣＤ販売の方法は、物流手段を使ってメディアを配布する方法である。【０００３】また、インターネットを介したダウンロード方法では、音楽ＣＤ互換形式のメディアの流通は行われていない。
【発明の開示】
【発明が解決しようとする課題】
【０００４】物流手段による音楽ＣＤの配付では、購入者全てが同一のハードウエアメディアを所有することとなり、電子データ化による違法コピー等、著作権に違反した場合の調査追跡が困難であった。【０００５】また、インターネットを介したダウンロード方法では、ＰＣ上での再生又は専用プレイヤーによる再生がほとんどであり、音楽ＣＤとして利用するためには専用の変換ソフトを利用する等の手間を要した。【０００６】そこで本発明は、インターネットを介して購入者のライセンス情報の組み込まれた音楽ＣＤ互換のハードウエアメディアを配布することを課題とする。
【課題を解決するための手段】
【０００７】以上の課題を解決するために、音楽ソフト供給者は購入者からのソフト購入依頼が発生した時に、販売するソフトに対する著作権の許諾されたライセンスを生成し、購入者の情報と合わせて保存管理する。【０００８】音楽ソフト供給者は、許諾されたライセンスを電子指紋データ化して購入者へ配布する音楽データに組み入れる。【０００９】また、購入者が音楽ＣＤを作成する為のプログラム及び環境を準備し、購入者へダウンロードの為の情報を通知する。【００１０】通知を受けた購入者は、音楽ＣＤ作成プログラムの取得の為のインターネットサイトへアクセスし、メディアビルダープログラムをダウンロードして保存する。【００１１】購入者は、保存したメディアビルダープログラムを実行する。【００１２】メディアビルダープログラムは、音楽ソフト供給者の管理サイトへアクセスして購入したメディアのライセンスの許諾を確認すると共に、配付データの情報を取得する。ライセンスの許諾が確認できなかった場合は、処理を中止する。【００１３】取得した配付データの情報をもとに、音楽ソフト供給者の配布サイトへアクセスし、配布データをダウンロードする。【００１４】ダウンロードした配付データを使用して音楽ＣＤ互換フォーマットで、ＣＤ−Ｒ又はＣＤ−ＲＷメディアを作成する。【００１５】メディアの作成が正常に完了した後に、音楽ソフト供給者の管理サイトへアクセスして、メディアの作成が成功したことを通知する。
【発明の効果】
【００１６】購入者が受け取るＣＤ−Ｒ又はＣＤ−ＲＷメディア内には、購入者に対する著作権の許諾を受けたライセンス情報が含まれる。これは、既存の流通ルートによるＣＤ販売等には無い優れた特性であり、著作権保護の目的で利用できる有益な情報となる。【００１７】購入者が手にした音楽メディアが電子データ化されて違法に流通しても、組み込まれた電子指紋データを取り出して音楽ソフト供給者の管理するライセンス情報と照合することにより、音楽メディアの所有者を確実に特定することができる。
【発明を実施するための最良の形態】
【００１８】この発明における処理の流れを図１に示す。
購入者はブラウザ１０１を通して、ソフト供給者の用意する販売の為のサイト２０１へアクセスしソフトの購入手続きを完了させる。【００１９】次に、サイト２０１では著作権の許諾されたライセンス情報を作成し、購入者の情報とともにＤＢ３０１へ保存する。【００２０】販売ソフト３０２を元に、ＤＢ３０１のライセンス情報を電子指紋データとして組み込んで配布データ３０３を作成する。【００２１】購入者が音楽ソフトを作成する為に使用するメディアビルダープログラム３０４を作成する。【００２２】メディア配給システム２０２よりの通知を受け、購入者はメディアビルダープログラム３０４をダウンロードして保存する。【００２３】購入者はメディアビルダープログラム３０４を起動する。【００２４】起動されたメディアビルダープログラム１０３は、音楽ソフト供給者の管理サイト２０３へアクセスし、ライセンス情報の許諾確認を問い合わせる。【００２５】ライセンス許諾確認の問合せを受け付けた管理サイト２０３は、ＤＢ３０１に保存されているライセンス情報ならびに購入者情報を参照し、ライセンスの有効性ならびにメディア作成の可否を検査した後、検査の結果をメディアビルダー１０３へ通知する。【００２６】購入者のライセンスが不当な場合又は、許諾された数量のメディアを既に作成済の場合は、処理を中止する。【００２７】メディアビルダープログラム１０３は、音楽ソフト供給者の配布サイト２０２へアクセスし、配布データ３０３をダウンロードする。【００２８】メディアビルダープログラム１０３は、ダウンロードした配布データ３０３を元にＣＤ−Ｒ又はＣＤ−ＲＷ３０５へ音楽データを書き込み、音楽メディアを作成する。【００２９】音楽メディアが正常に作成できた場合は、音楽ソフト供給者の管理サイト２０４へアクセスし、メディア作成情報の登録を依頼する。【００３０】メディア作成情報の登録を受け付けた管理サイト２０４は、ＤＢ３０１に保存されているライセンス情報を更新し、メディアの作成数量などの情報を保存する。【００３１】なお上記において、種々の具体例を示して説明してきたが、本発明はこれらの具体例にのみ限定されるものではなく、本発明の技術的範囲を逸脱することなしに様々な変形が可能であることは勿論である。【００３２】例えば、配布データのインターネット上での送信手段は、配布データを音楽ソフト供給者から購入者へ受け渡すことが可能な送信手段であれば良いことは勿論である。また、音楽メディアへ組み込まれるライセンスの方式は、作成された音楽メディアから音楽ソフト供給者がライセンスを取り出せるものであれば良いことは勿論である。
【図面の簡単な説明】
【００３３】
【図１】    本発明において、機能の構成を示す図である。
【符号の説明】
【００３４】    １００    購入者の行動・作業・処理範囲
１０１    購入者の使用するブラウザ
１０２    購入者の使用するメーラー
１０３    実行中のメディアビルダープログラム
２００    音楽ソフト供給者の行動・作業・処理範囲
２０１    音楽ソフト供給者の提供するソフト販売の為のＷＥＢサイト
２０２    メディア配布の為のインターネットサーバシステム
２０３    ライセンス情報確認の為の管理サイト
２０４    メディアの作成情報を登録する為の管理サイト
３０１    データベースに管理されているライセンスや購入者の情報
３０２    販売の為に保存されている電子指紋データの入っていない音楽ソフト
３０３    配付の為に電子指紋データが組み入れられた音楽ソフト
３０４    配布用に保存されているメディアビルダープログラム
３０５    最終的に作成されるＣＤ−Ｒ又はＣＤ−ＲＷの形態の音楽メディア
【図１】
2009199567.tif 000003